(57)【要約】【課題】コマセカゴを仕掛けの上に配置するタイプのサビキ釣りの場合には、コマセ充填作業の際に仕掛けが邪魔になって手際よくするのが困難であった。【解決手段】道糸と仕掛けの間に配置されるコマセカゴであり、カゴ本体と二本のアーチ線とにより構成されており、該二本のアーチ線は該カゴ本体の上端の開口部にいずれもその両端が係止されており、且つ少なくともその中の一本は該開口部に可回動に取設されており、またそのアーチ線の形状は該アーチ線を該カゴ本体の下端位置まで回動させても該カゴ本体に接触しないだけの間隙が存在するもの。【選択図】　　　　　　　　図１
2004121116.tif 000002
【特許請求の範囲】
【請求項１】
道糸と仕掛けの間に配置されるコマセカゴであり、カゴ本体と二本のアーチ線とにより構成されており、該二本のアーチ線は該カゴ本体の上端の開口部にいずれもその両端が係止されており、且つ少なくともその中の一本は該開口部に可回動に取設されており、またそのアーチ線の形状は該アーチ線を該カゴ本体の下端位置まで回動させても該カゴ本体に接触しないだけの間隙が存在するものであることを特徴とする釣り用コマセカゴ。
【発明の詳細な説明】
【０００１】
【発明の属する技術分野】
本発明は、堤防その他におけるサビキ釣り等に使用して便利な釣り用撒き餌カゴの構造に関するものである。
【０００２】
【従来の技術】
道糸・コマセカゴ・仕掛け、等々のパーツを用いて行うサビキ釣りにはいくつかの形態がある。その中に、仕掛けをコマセカゴの下に配置するものがある。仕掛けの下にコマセカゴを配置する場合にはコマセカゴ自体がオモリの役を果たすこともあるが、仕掛けをコマセカゴの下に配置する場合には別途オモリが必要となる。つまり全てを垂らした状態では、上から道糸・コマセカゴ・仕掛け・オモリの順に配置されることとなる。
【０００３】
使用方法は、まずコマセカゴにコマセを詰め、その後仕掛けを水中に投下し、所定のタナまで沈降させると、竿先を上げ下げしてコマセカゴを上下に揺らしてコマセを撒き、魚を集めて釣る、というものである。カゴ内のコマセはカゴの上下動によって散逸ししばらくすると空になるので、釣れていなくとも水から引き上げ再度同じ作業を繰り返すということになる。釣果は、ある意味でこの作業を手際よくどれだけ繰り返すことができるかどうかに依ると言える。
【０００４】
この際、カゴにコマセを詰める方法としては、コマセをスプーンやフォーク等ですくい上げるか、手指で直接つまんで詰めるかしかない。
【０００５】
【発明が解決しようとする課題】
コマセカゴの上には道糸が、下には仕掛けが存在するという状況下にあって、これらの釣り糸の中途にあるコマセカゴにコマセを詰める作業は、実際には面倒である場合が多く、風の強い日にはコマセ詰めに難儀するという声も多い。
【０００６】
ところで、最も一般的なコマセである冷凍アミエビ（通常は直方体状になっており、これを解凍して使用する）のにおいを嫌がる釣り人も少なくなく、また手についたコマセが釣り竿やリールなどに付着すると、においばかりでなく、故障その他の支障を引き起こす可能性もある。
そこで、冷凍アミエビをバケツに入れておき、ここに海水（海釣りの場合）を入れて溶かし、流動性のあるものとする。そしてここにコマセカゴを沈めてから引き上げれば、アミエビはカゴ内に入ることになる。そうすると、コマセに全く触れることなく手際の良いコマセ充填作業が可能となる。但し、そのような作業ができるのは仕掛け下端にコマセカゴが配置されるタイプに限るものであり、上記中途にコマセカゴの付いたタイプのものは釣り糸が邪魔になって利用しづらいものであった。
【０００７】
【課題を解決するための手段】
そこで本発明者は、こうした点に鑑み鋭意研究の結果遂に本発明を成したものであり、その特徴とするところは、道糸と仕掛けの間に配置されるコマセカゴであり、カゴ本体と二本のアーチ線とにより構成されており、該二本のアーチ線は該カゴ本体の上端の開口部にいずれもその両端が係止されており、且つ少なくともその中の一本は該開口部に可回動に取設されており、またそのアーチ線の形状は該アーチ線を該カゴ本体の下端位置まで回動させても該カゴ本体に接触しないだけの間隙が存在するものである点にある。
【０００８】
即ち本発明は、水中においては道糸と仕掛けに挟まれてコマセカゴが存在している位置関係でありながら、水中にないときには必要に応じて簡単且つ支障なくコマセカゴを最下端位置に置くことができるようにした発明である。
【０００９】
本発明に係るコマセカゴは、その開口部に２本のアーチ線が設けられている。使用に際してはその中の一本には道糸が、他の一本には仕掛けが係止されることになる。道糸結着用のアーチ線は、これまでのコマセカゴが有するものと同様の構造で良く、コマセカゴの開口部が円形の場合通常直径の両端に当たる位置にその両端が来るよう設置される。この道糸結着用のアーチ線自体がコマセカゴに対し該直径を軸に回動自在であるか否かは特に限定しないが、回動自在であるほうが利便性は高い。
【００１０】
仕掛け結着用のアーチ線は、開口部に可回動に取設されており、またそのアーチ線の形状は該アーチ線を該カゴ本体の下端位置まで回動させても該カゴ本体に接触しないだけの間隙が存在する。このような構造とすることにより、例えば右手で道糸をつかんでコマセカゴをぶら下げた状態で、このコマセカゴの下にある仕掛けをつかんで持ち上げると、この仕掛けはコマセカゴ開口部分よりも上方に持ってゆくことができる。即ち、道糸と仕掛けでＶ字形を成しコマセカゴが該Ｖの下端頂点に位置するということになる。この状態であれば、既述したように、バケツ内に落とした後引き上げるという手を汚さないタイプのコマセ充填作業が簡単に採用できることになる。
【００１１】
【発明の実施の形態】
以下図面に基づき本発明を更に詳細に説明する。
【００１２】
図１は本発明に係る釣り用コマセカゴ１（以下「本発明カゴ１」という）の一例を示すものであり、図より明らかなように本発明カゴ１は、下端部分にオモリ２２を内包するプラスチック製網カゴ２と、この開口部２１に両端が係止される二本のアーチ線により構成される。この二本のアーチ線は、小さな方が道糸結着用アーチ線３であり、大きな方が仕掛け結着用アーチ線４である。
【００１３】
仕掛け結着用アーチ線４は、網カゴ２に対して回動自在に係止されており、またその回動によって該線４が網カゴ２に接触することがないような形状である。その意味で該アーチ線４の両端は、網カゴ２の直径よりもわずかに大きくなっている。なお、道糸結着用アーチ線３及び仕掛け結着用アーチ線４と網カゴ２の連結部分は、魚が掛かってこれを引き上げる時に力を受ける部分であるので強度を勘案した構造とする必要があるが、網カゴ２自体はその際の引っ張り力の影響をほとんど受けず（実際には開口部２１を狭めようとする力が働くが大きな力ではない）、製作を困難にするものではない。
【００１４】
次に図２は、本発明カゴ１に道糸Ｌ及び仕掛けＳを結着した状態を示すものである。当然、道糸Ｌは道糸結着用アーチ線３に、仕掛けＳは仕掛け結着用アーチ線４に結着され、図の如く仕掛け結着用アーチ線４は回動して網カゴ２の下側までゆく。このようにして釣り糸（道糸Ｌ及び仕掛けＳ）を結着した後、コマセ充填作業を開始する。
【００１５】
コマセ充填作業は、仕掛けＳをつかんで引き上げ全仕掛けをＶ字形にした後、図３の如く網カゴ２をコマセバケツＢに沈めてから取り出せば良い。仕掛け結着用アーチ線４は網カゴ２の開口部２１より上方にあって可回動に連結されているので、網カゴ２はコマセバケツＢに沈める際には倒れることがあっても、引き上げる時には必ず開口部２１を真上に向けることになりコマセ充填作業は効率よくできる。なお本例は、冷凍アミエビを多量の海水で溶かしたものが入ったコマセバケツを用いてコマセを充填したが、必ずしもこれを使用しなければならないわけではない。仕掛け結着用アーチ線４が回動することによって、コマセカゴが最下端に来るので、フォークやスプーン或いは手指によってコマセを詰めるような場合も作業は楽になる。
【００１６】
【発明の効果】
以上詳細に説明したように本発明に係る釣り用コマセカゴは、道糸と仕掛けの間に配置されるコマセカゴであり、カゴ本体と二本のアーチ線とにより構成されており、該二本のアーチ線は該カゴ本体の上端の開口部にいずれもその両端が係止されており、且つ少なくともその中の一本は該開口部に可回動に取設されており、またそのアーチ線の形状は該アーチ線を該カゴ本体の下端位置まで回動させても該カゴ本体に接触しないだけの間隙が存在するものであることを特徴とするものであり、以下述べる如き効果を有する極めて高度な発明である。
【００１７】
（１）　コマセカゴの下に仕掛けを配置するタイプの釣り仕掛けであるが、コマセ充填作業の際にはこの仕掛けを簡単に回動させることができ作業性が良くなる。
（２）　コマセカゴの下に仕掛けを配置するタイプの釣り仕掛けであるが、この仕掛けはコマセカゴ本体の下端に係止されるものではない。従って、魚が掛かって全仕掛けを引き上げる際にカゴが大きな荷重を受けない。
（３）　海水等に混ぜて流動性を付与したコマセの場合には、手指その他を汚すことのない釣りが簡単にできる。
【図面の簡単な説明】
【図１】本発明に係る釣り用コマセカゴの一例を示す概略斜視図である。
【図２】本発明に係る釣り用コマセカゴに道糸及び仕掛けを結着した状態を示す概略正面図である。
【図３】本発明に係る釣り用コマセカゴを用いてコマセ充填作業をしようとしている状態を示す概略斜視図である。
【符号の説明】
１　　　　本発明に係る釣り用コマセカゴ
２　　　　網カゴ
２１　開口部
２２　オモリ
３　　道糸結着用アーチ線
４　　仕掛け結着用アーチ線
Ｌ　　道糸
Ｓ　　仕掛け
Ｂ　　コマセバケツ
【図１】
2004121116.tif 000003
【図２】
2004121116.tif 000004
【図３】
2004121116.tif 000005